(57)【要約】【課題】ケーブルが煽られ、ばね片の変位方向にケーブルから外力が加わっても、ばね片に負荷がかからないようにし、接触信頼性の高い圧着端子を提供する。【解決手段】圧着端子３０は板材よりなり、相手方端子５１と接触するばね片３１と、ケーブル４０が圧着固定される圧着部３２と、断面Ｕ字形状をなすＵ字部３３とを備える。ばね片３１は折り曲げ部３４を介してＵ字部３３のＵ字の一端に連結されてＵ字部３３のＵ字の一方の直線部３３ａに沿うように延長形成され、圧着部３２はＵ字部３３のＵ字の他方の直線部３３ｂから延長形成され、ばね片３１とＵ字の一方の直線部３３ａとの間に相手方端子５１が挿入される。Ｕ字部３３はケーブル４０からの外力を吸収する。【選択図】図３
2015220190.tif 000002
【特許請求の範囲】
【請求項１】
板材よりなる圧着端子であって、
相手方端子と接触するばね片と、ケーブルが圧着固定される圧着部と、断面Ｕ字形状をなすＵ字部とを備え、
前記ばね片は折り曲げ部を介して前記Ｕ字部のＵ字の一端に連結されて前記Ｕ字部のＵ字の一方の直線部に沿うように延長形成され、
前記圧着部は前記Ｕ字部のＵ字の他方の直線部から延長形成され、
前記ばね片と前記Ｕ字部のＵ字の一方の直線部との間に前記相手方端子が挿入されることを特徴とする圧着端子。
【請求項２】
請求項１記載の圧着端子において、
前記Ｕ字部のＵ字の一方の直線部に、前記相手方端子に形成されている穴に嵌り込むロック片が切り起こされて形成されていることを特徴とする圧着端子。
【請求項３】
請求項１又は２記載の圧着端子において、
前記圧着部は圧着固定した前記ケーブルの延伸方向が前記相手方端子が挿入される方向と平行となるように設けられていることを特徴とする圧着端子。
【請求項４】
請求項１又は２記載の圧着端子において、
前記圧着部は圧着固定した前記ケーブルの延伸方向が前記相手方端子が挿入される方向と直交するように設けられていることを特徴とする圧着端子。
【発明の詳細な説明】
【技術分野】
【０００１】
この発明はケーブルの端末に圧着固定されて相手方端子と電気的に接続される圧着端子に関する。
【背景技術】
【０００２】
図６はこの種の圧着端子の従来例として特許文献１に記載されている端子の構成を示したものである。
【０００３】
端子１０は、一端に形成された端子本体１１と、他端に形成された第１圧着部１２と、端子本体１１と第１圧着部１２との間に形成された第２圧着部１３とを有しており、さらに端子本体１１と第２圧着部１３との間に突起部１４を備えている。
【０００４】
第１圧着部１２は導体２０の絶縁被覆部２１と圧着接続され、第２圧着部１３は導体２０の導体部２２と圧着接続されるものとなっている。端子本体１１は図示しない別のコネクタと電気的に接続されるもので、筒状をなし、内部にはばね片１５を備えている。ばね片１５は相手方コネクタの端子と接触される。
【０００５】
導体部２２と第２圧着部１３とが圧着接続されている部分には樹脂２５が塗布されており、この例では樹脂２５により導体部２２と第２圧着部１３との圧着接続部分が封止されている。樹脂２５は突起部１４によって端子本体１１側への流れ出しが防止されている。
【先行技術文献】
【特許文献】
【０００６】
【特許文献１】特開２０１１−１４２００４号公報
【発明の概要】
【発明が解決しようとする課題】
【０００７】
ところで、この種の圧着端子を相手方端子に接続した使用状態では、相手方端子との高い接触信頼性が要求される。
【０００８】
しかるに、図６に示したような従来の圧着端子の構造では、ばね片が位置する部分の延長線上にケーブル（導体）の圧着部分が位置しているため、例えばケーブルが煽られ、ばね片の変位方向にケーブルから外力が加わると、ばね片に直接負荷がかかり、またばね片の接触圧が変動することになり、接触信頼性が損なわれるといった状況が発生する。
【０００９】
この発明の目的はこのような問題に鑑み、ケーブルが煽られ、相手方端子と接触するばね片の変位方向にケーブルから外力が加わっても、ばね片がその影響を受けず、負荷がかからないようにし、その点で優れた接触信頼性を有する圧着端子を提供することにある。
【課題を解決するための手段】
【００１０】
請求項１の発明によれば、板材よりなる圧着端子は、相手方端子と接触するばね片と、ケーブルが圧着固定される圧着部と、断面Ｕ字形状をなすＵ字部とを備え、ばね片は折り曲げ部を介してＵ字部のＵ字の一端に連結されてＵ字部のＵ字の一方の直線部に沿うように延長形成され、圧着部はＵ字部のＵ字の他方の直線部から延長形成され、ばね片とＵ字部のＵ字の一方の直線部との間に相手方端子が挿入されるものとされる。
【００１１】
請求項２の発明では請求項１の発明において、Ｕ字部のＵ字の一方の直線部に、相手方端子に形成されている穴に嵌り込むロック片が切り起こされて形成されているものとされる。
【００１２】
請求項３の発明では請求項１又は２の発明において、圧着部は圧着固定したケーブルの延伸方向が相手方端子が挿入される方向と平行となるように設けられている。
【００１３】
請求項４の発明では請求項１又は２の発明において、圧着部は圧着固定したケーブルの延伸方向が相手方端子が挿入される方向と直交するように設けられている。
【発明の効果】
【００１４】
この発明によれば、ケーブルが煽られ、ばね片の変位方向にケーブルから外力が加わっても、Ｕ字部がたわんでケーブルからの外力を吸収するため、ばね片に負荷がかかることはなく、またばね片の接触圧が変動するといったことも発生せず、よって優れた接触信頼性を有する圧着端子を得ることができる。
【図面の簡単な説明】
【００１５】
【図１】Ａはこの発明による圧着端子の第１の実施例を示す正面図、Ｂはその側面図、Ｃはその背面図、Ｄはその底面図、Ｅはその斜視図、ＦはＡのＨ−Ｈ線拡大断面図、ＧはＡのＪ−Ｊ線拡大断面図。
【図２】Ａはケーブルが圧着固定された図１に示した圧着端子が相手方端子に接続される前の状態を示す斜視図、Ｂはその接続状態を示す斜視図。
【図３】Ａは図２Ｂの部分拡大図、ＢはＡを上から見た状態を示す平面図、ＣはＢのＤ−Ｄ線部分拡大断面図。
【図４】Ａはケーブルが圧着固定されたこの発明による圧着端子の第２の実施例が相手方端子に接続される前の状態を示す斜視図、Ｂはその接続状態を示す斜視図。
【図５】Ａはこの発明による圧着端子の第３の実施例を示す正面図、Ｂはその側面図、ＣはＡのＤ−Ｄ線拡大断面図。
【図６】Ａは導体が圧着固定された従来の圧着端子を示す斜視図、Ｂはその断面図。
【発明を実施するための形態】
【００１６】
この発明の実施形態を図面を参照して実施例により説明する。
【００１７】
図１はこの発明による圧着端子の第１の実施例の構成を示したものである。圧着端子３０は板材よりなり、相手方端子と接触するばね片３１と、ケーブルが圧着固定される圧着部３２と、断面Ｕ字形状をなすＵ字部３３とを備えている。
【００１８】
ばね片３１は１８０°折り曲げられた折り曲げ部３４を介してＵ字部３３のＵ字の一端に連結され、Ｕ字部３３のＵ字の一方の直線部３３ａに沿うように延長形成されており、ばね片３１とＵ字部３３はばね片３１の変位方向に重ね折りされたような形状を呈している。ばね片３１はこの例では切り欠き３５によって分岐され、二股形状をなすものとされており、二股の各先端はＵ字部３３の直線部３３ａ側に曲げ返されて接点部３１ａが形成されている。
【００１９】
ばね片３１と対向するＵ字部３３の直線部３３ａにはばね片３１側に突出するようにロック片３６が切り起こされて形成されている。ロック片３６はばね片３１の二股の間の切り欠き３５と対向する位置に設けられている。Ｕ字部３３の直線部３３ａの幅方向両端にはそれぞれ突出片３７が突出形成されている。突出片３７は直線部３３ａからわずかに延長された後、ばね片３１側に９０°折り曲げられた形状となっている。
【００２０】
圧着部３２はＵ字部３３のＵ字の他方の直線部３３ｂから延長形成されており、この例では圧着部３２は直線部３３ｂの幅方向一端から延長形成されている。圧着部３２はケーブルの内部導体に圧着される一対の圧着片３２ａと、ケーブルの外被に圧着される一対の圧着片３２ｂを備えている。
【００２１】
図１中、矢印ａは相手方端子が挿入される位置、方向を示し、相手方端子はばね片３１とＵ字部３３の一方の直線部３３ａとの間に挿入される。
【００２２】
上記のような構成を有する圧着端子３０は例えばリン青銅板を板金加工することによって形成され、表面には金めっきや錫めっきが施される。
【００２３】
図２はケーブル４０の端末に取り付けられた圧着端子３０が相手方端子に接続される様子を示したものであり、図２Ａは接続前の状態を示し、図２Ｂは接続状態を示す。また、図３は圧着端子３０が相手方端子に接続された状態の詳細を示したものである。
【００２４】
圧着端子３０は一対の圧着片３２ａがケーブル４０の内部導体４１に圧着固定され、一対の圧着片３２ｂがケーブル４０の外被４２に圧着固定されてケーブル４０の端末に取り付けられている。
【００２５】
相手方端子として、この例ではモータ５０の端子５１を示している。端子５１は板状とされ、一対の端子５１がモータ５０の端面から突出されている。端子５１の中央には円形の穴５１ａが設けられている。端子５１は例えば銅板によって形成されており、表面には金めっきや錫めっきが施されている。なお、図２及び３では一対の端子５１の一方に圧着端子３０が接続される様子を示している。
【００２６】
端子５１は圧着端子３０のばね片３１とＵ字部３３の一方の直線部３３ａとの間に挿入される。ばね片３１は図３Ｃに示したように変位し、そのばね力（弾性復元力）により端子５１の板面に接点部３１ａが接触する。端子５１はばね片３１とＵ字部３３の直線部３３ａとによって挟み込まれ、ばね片３１によってＵ字部３３の直線部３３ａに押し付けられた状態となる。
【００２７】
ロック片３６は端子５１の挿入により端子５１に押されて引っ込んだ後、復帰して図３Ｃに示したように端子５１の穴５１ａに嵌り込む。このようにロック片３６が端子５１の穴５１ａに嵌り込むことにより圧着端子３０は抜け止めされ、端子５１に一度接続したら外れないものとなっている。
【００２８】
圧着端子３０はこの例では上述したようにばね片３１と圧着部３２の間にＵ字部３３を備えているため、端子５１に接続された状態で例えばケーブル４０が煽られて図２、３中、矢印ｂで示した方向にケーブル４０が動き（平行変位し）、これによりばね片３１の変位方向に外力がケーブル４０から圧着端子３０に加わってもＵ字部３３がたわむことにより、ケーブル４０からの外力をＵ字部３３で吸収することができる。
【００２９】
従って、この例によれば、ケーブル４０が煽られ、ばね片３１の変位方向にケーブル４０から外力が加わっても、ばね片３１はその影響を受けないため、図６に示した従来の圧着端子のようにケーブルが煽られ、ばね片の変位方向にケーブルから外力が加わると、ばね片に直接負荷がかかり、またばね片の接触圧が変動するといった問題を解消することができ、その点で高い接触安定性、接触信頼性を得ることができる。
【００３０】
なお、圧着端子３０に設けられている一対の突出片３７は、圧着端子３０が端子５１に対して図２、３中に示した矢印ｃ方向に動いた場合に端子５１に突き当たるものとなっており、これにより圧着端子３０は矢印ｃ方向の動きが規制されるものとなっている。よって、例えばケーブル４０が引っ張られた場合にはロック片３６に加え、この突出片３７も圧着端子３０の抜け止めとして機能する。
【００３１】
上述した圧着端子３０では圧着部３２はＵ字部３３の直線部３３ｂの幅方向一端から延長形成され、圧着固定したケーブル４０の延伸方向が相手方の端子５１の挿入方向（矢印ａ）と直交するように設けられているが、ケーブル４０の延伸方向が端子５１の挿入方向（矢印ａ）と平行となるように圧着部３２を設けてもよい。
【００３２】
図４はこのように圧着部３２が設けられたこの発明による圧着端子の第２の実施例が、前述した図２と同様、モータ５０の端子５１に接続される様子を示したものである。
【００３３】
この例では圧着部３２はＵ字部３３の直線部３３ｂの先端から延長形成されており、端子５１の挿入方向（矢印ａ）と平行に立った状態となっている。
【００３４】
この図４に示した圧着端子３０’においても、ケーブル４０が煽られ、ばね片３１の変位方向にケーブル４０から外力が加わっても、ケーブル４０からの外力はＵ字部３３で吸収され、よって高い接触安定性、接触信頼性を得ることができる。
【００３５】
図５はこの発明による圧着端子の第３の実施例の構成を示したものであり、この例では図１に示した圧着端子３０とばね片及び折り曲げ部の形状が異なるものとなっている。
【００３６】
ばね片３１’はこの例では二股に分岐されておらず、接点部３１ａは２箇所に分かれていない。また、折り曲げ部３４’は中間に直線部を有し、これによりばね片３１’とＵ字部３３の直線部３３ａとの間の空間は図１に示した圧着端子３０より広くなっている。
【００３７】
この圧着端子３０’’は接続される相手方端子の板厚が厚い場合に対応するものであり、このようにばね片３１’とＵ字部３３の直線部３３ａとの間隔が大きい場合、ばね片３１’の接点部３１ａとロック片３６との干渉に配慮する必要がないため、図１に示した圧着端子３０のようにロック片３６との干渉を避けるべく、切り欠き３５を設けてばね片３１を二股形状にするといったことは特に必要ではなくなる。しかしながら、ばね片３１’と相手方端子の良好な接触状態を得る上ではばね片３１’を二股形状として２点接触する形態とするのが好ましい。
【００３８】
以上、この発明の実施例について説明したが、相手方端子はばね片とＵ字部の一方の直線部との間に挿入されるものとなっており、この相手方端子が挿入される部分の先には折り曲げ部３４（３４’）が存在しているため、相手方端子が過大に挿入されたとしても、先端が折り曲げ部３４（３４’）に突き当たるものとなっている。よって、相手方端子が圧着端子を突き抜け、先端が圧着端子から飛び出るといったことは発生せず、その点で短絡等の予期せぬ事故の発生を防止することができるものとなっている。
【００３９】
なお、上述した実施例では折り曲げ部３４（３４’）は１８０°の折り曲げとなっているが、ばね片３１（３１’）はＵ字部３３の直線部３３ａに沿うように配置されていればよく、折り曲げ部３４（３４’）は厳密に１８０°の折り曲げでなくてもよい。
【符号の説明】
【００４０】
１０  端子                              １１  端子本体
１２  第１圧着部                        １３  第２圧着部
１４  突起部                            １５  ばね片
２０  導体                              ２１  絶縁被覆部
２２  導体部                            ２５  樹脂
３０，３０’，３０’’  圧着端子          ３１，３１’  ばね片
３１ａ  接点部                          ３２  圧着部
３２ａ，３２ｂ  圧着片                  ３３  Ｕ字部
３３ａ，３３ｂ  直線部                  ３４，３４’  折り曲げ部
３５  切り欠き                          ３６  ロック片
３７  突出片                            ４０  ケーブル
４１  内部導体                          ４２  外被
５０  モータ                            ５１  端子
５１ａ  穴
【図１】
2015220190.tif 000003
【図２】
2015220190.tif 000004
【図３】
2015220190.tif 000005
【図４】
2015220190.tif 000006
【図５】
2015220190.tif 000007
【図６】
2015220190.tif 000008